(57)【特許請求の範囲】
【請求項１】
特定小電力無線を用いて制御信号を生成し発信する送信器と、該送信器から前記制御信号を受信する受信器と、該受信器からの前記制御信号の内容に応じて照明器具である負荷を制御する制御部を備えてなる無線負荷制御システムにおいて、
前記送信器及び前記負荷は、各々対になるように複数組設けられ、
前記受信器は、
ある１つの送信器から受信した制御信号が、前記１つの送信器と対をなす負荷を制御対象とする場合には、前記制御部にて該対をなす負荷に対して前記制御信号の示す制御を行わせ、
前記１つの送信器から受信した制御信号が、前記1つの送信器と対をなす負荷を制御対象としない場合には、前記制御信号の制御対象である負荷に対して前記制御部にて前記制御信号の示す制御を行わせるとともに、前記制御部にて該制御が行われたことをあらわすべく、前記送信器と対をなす負荷に対して所定の動作としてそれまでの点灯状態とは異なる点灯制御を所定時間だけ行わせることを特徴とする無線負荷制御システム。
【請求項２】
請求項１に記載の前記受信器及び前記制御部を備えるとともに、該制御部により制御され、複数の負荷の各々に電力を供給する複数のブレーカと、該複数のブレーカに供給される電流を検出する電流検出回路とを備えてなる分電盤。
【請求項３】
特定小電力無線を用いて制御信号を生成し発信する送信器と、該送信器から前記制御信号を受信し、前記制御信号の内容に応じて照明器具である負荷を制御する送受信器を備えてなる無線負荷制御システムにおいて、
前記送信器及び前記負荷並びに前記送受信器は、各々対になるように複数組設けられ、
ある１つの送受信器は、
該１つの送受信器と対をなす送信器から、該１つの送受信器と対をなす負荷を制御対象とする制御信号を受信した場合には、前記１つの送受信器と対をなす負荷に対して前記制御信号の示す制御を行い、
前記１つの送受信器と対をなす送信器から、前記１つの送受信器と対をなさない負荷を制御対象とする制御信号を受信した場合には、待機状態になり、
前記１つの送受信器と対をなさない送信器から前記１つの送受信器と対をなす負荷を制御対象とする制御信号を受信した場合には、前記制御信号の制御対象である負荷に対して前記制御信号の示す制御を行うとともに、該制御が行われたことを、前記制御信号を送信した送信器と対をなす送受信器に対して所定の提示制御信号を送信することで、前記制御信号を送信した送信器と対をなす送受信器により、該送受信器と対をなす負荷に対して、所定の動作としてそれまでの点灯状態とは異なる点灯制御を所定時間だけ行わせ、前記制御信号を送信した者に、前記制御信号の制御対象である負荷が制御されたことを提示することを特徴とする無線負荷制御システム。
【発明の詳細な説明】
【０００１】
【発明の属する技術分野】
本発明は、無線を用いて電気設備等の負荷を制御する無線負荷制御システム及び分電盤に関するものである。
【０００２】
【従来の技術】
従来の無線負荷制御システムとして、特定小電力無線を用いたワイヤレスリモコン等の負荷操作器により、制御対象である負荷を遠隔操作し、特に、負荷が制御されたことを、利用者が制御信号を発信した負荷操作器に設けた表示手段等にて確認できるものを挙げることができる。
【０００３】
上述の無線負荷制御システムにおいては、負荷操作器及び負荷操作器からの制御信号を受信する受信器相当部は、各々、特定小電力無線を用いて、信号の送受信機能を備えており、双方向通信が可能である。
【０００４】
【発明が解決しようとする課題】
ところが、上述のような無線負荷制御システムにおいては、負荷操作器及び負荷操作器からの制御信号を受信する受信器相当部には、信号の送受信機能を備える必要があるので、前記各部のサイズが大きくなるという問題点と、コスト高になるという問題点があった。
【０００５】
本発明は上記問題点を改善するためになされたものであり、システムに必要な送受信機能を備える箇所を減らして、小サイズ、低コストで実現可能な無線負荷制御システム及び分電盤を提供することを目的とするものである。
【０００６】
【課題を解決するための手段】
請求項１に記載の無線負荷制御システムは、図１及び図２にその一例を示すように、特定小電力無線を用いて制御信号を生成し発信する送信器１、２と、該送信器１、２から前記制御信号を受信する受信器４と、該受信器４からの前記制御信号の内容に応じて負荷Ｌ１、Ｌ２を制御する制御部５を備えてなる無線負荷制御システムにおいて、前記送信器１、２及び前記負荷Ｌ１、Ｌ２は、各々対になるように複数組（図１においては、送信器１と負荷Ｌ１の対と、送信器２と負荷Ｌ２の対の２組）設けられ、前記受信器４は、ある１つの送信器（例えば、図1において、送信器１）から受信した制御信号が、前記１つの送信器（送信器１）と対をなす負荷（負荷Ｌ１）を制御対象とする場合には、前記制御部５にて該対をなす負荷（負荷Ｌ１）に対して前記制御信号の示す制御を行わせ、前記１つの送信器（送信器１）から受信した制御信号が、前記1つの送信器（送信器１）と対をなす負荷（負荷Ｌ１）を制御対象としない場合には、前記制御信号の制御対象である負荷（例えば、図1において、負荷Ｌ２）に対して前記制御部５にて前記制御信号の示す制御を行わせるとともに、前記制御部５にて該制御が行われたことを前記送信器（送信器１）と対をなす負荷（負荷Ｌ１）に対して所定の動作を行わせ、前記制御信号を送信した者に、前記制御信号の制御対象である負荷（負荷Ｌ２）が制御されたことを提示することを特徴とするものである。
【０００７】
また、請求項２に記載の分電盤は、図３にその一例を示すように、請求項１に記載の前記受信器４及び前記制御部５を備えるとともに、該制御部５により制御され、複数（図３においては、２つ）の負荷Ｌ１、Ｌ２の各々に電力を供給する複数（図３においては、２つ）のブレーカ７１、７２と、該複数（２つ）のブレーカ７１、７２に各々供給される電流を検出する電流検出回路６１、６２とを備えてなることを特徴とするものである。
【０００８】
また、請求項３に記載の無線負荷制御システムは、図３及び図４にその一例を示すように、特定小電力無線を用いて制御信号を生成し発信する送信器１、２と、該送信器１、２から前記制御信号を受信し、前記制御信号の内容に応じて負荷Ｌ１、Ｌ２を制御する送受信器１０、２０を備えてなる無線負荷制御システムにおいて、前記送信器１、２及び前記負荷Ｌ１、Ｌ２並びに前記送受信器１０、２０は、各々対になるように複数組（図３においては、送信器１と負荷Ｌ１と送受信器１０の対と、送信器２と負荷Ｌ２と送受信器２０の対の２組）設けられ、ある１つの送受信器（例えば、図３において、送受信器２０）は、該１つの送受信器（送受信器２０）と対をなす送信器（送信器２）から、該１つの送受信器（送受信器２０）と対をなす負荷（負荷Ｌ２）を制御対象とする制御信号を受信した場合には、前記１つの送受信器と対をなす負荷（負荷Ｌ２）に対して前記制御信号の示す制御を行い、前記１つの送受信器（送受信器２０）と対をなす送信器（送信器２）から、前記１つの送受信器（送受信器２０）と対をなさない負荷（負荷Ｌ１）を制御対象とする制御信号を受信した場合には、待機状態になり、前記１つの送受信器（送受信器２０）と対をなさない送信器（送信器１）から前記１つの送受信器（送受信器２０）と対をなす負荷（負荷Ｌ２）を制御対象とする制御信号を受信した場合には、前記制御信号の制御対象である負荷（負荷Ｌ２）に対して前記制御信号の示す制御を行うとともに、該制御が行われたことを、前記制御信号を送信した送信器（送信器１）と対をなす送受信器（送受信器１０）に対して所定の提示制御信号を送信することで、前記制御信号を送信した送信器（送信器１）と対をなす送受信器（送受信器１０）により、該送受信器（送受信器１０）と対をなす負荷（負荷Ｌ１）に対して、所定の動作を行わせ、前記制御信号を送信した者に、前記制御信号の制御対象である負荷（負荷Ｌ２）が制御されたことを提示することを特徴とするものである。
【０００９】
【発明の実施の形態】
第１実施形態及び第２実施形態は、例えば、異なる部屋（部屋Ｒ１）から他の部屋（部屋Ｒ２）に設けられた負荷Ｌ２を、部屋Ｒ１にある送信器１を用いて遠隔操作する場合に、送信器１の利用者（図示せず）が、送信器１を用いる部屋Ｒ１に設けた負荷Ｌ１の状態を確認することで、部屋Ｒ１に居ながらにして部屋Ｒ２の負荷Ｌ２の制御状態を把握可能な無線負荷制御システムの例である。
【００１０】
以下に、本発明の第１実施形態を図１及び図２に基づいて説明する。図１は、本発明の第１実施形態に係る無線負荷制御システムを示す説明図であり、図２は、無線負荷制御システムにおける動作の一例を示すフローチャートである。
【００１１】
ここで、制御対象となる負荷としては、使用区画である２つの部屋（部屋Ｒ１、部屋Ｒ２）の各々に設けられた２つの照明機器（負荷Ｌ１、Ｌ２）を用いる。
【００１２】
無線負荷制御システムは、図１に示すように、部屋Ｒ１に設けられ送信器１と対をなす負荷Ｌ１と、部屋Ｒ２に設けられ送信器２と対をなす負荷Ｌ２と、負荷Ｌ１、Ｌ２を操作可能な送信器１と、送信器１と対をなす負荷Ｌ１と、負荷Ｌ１、Ｌ２を操作可能な送信器２と、負荷Ｌ１、Ｌ２に電力を供給する分電盤３とを備えて構成されている。
【００１３】
第１実施形態は、送信器１、２からの制御信号を分電盤３内に設けた受信器４が一括して受信可能な無線負荷制御システムの例である。
【００１４】
送信器１、２は、特定小電力無線を用いて制御命令である制御信号を生成し発信する機能を備えた例えばワイヤレスリモコンであり、負荷Ｌ１、Ｌ２のどちらの負荷に制御信号を送信するのかを各々選択する選択ボタンＢ１、Ｂ２を備えている。
【００１５】
第１実施形態においては、負荷Ｌ１と、送信器１とは対をなし、負荷Ｌ２と、送信器２とは対をなしている。ここで、「対をなす」とは、各部屋Ｒ１、Ｒ２に設けた送信器固有の送信器認識番号（ＩＤ）と、各部屋Ｒ１、Ｒ２に設けた負荷固有の負荷認識番号（ＩＤ）とが一致することを示し、例えば、送信器１の送信器認識番号＝負荷Ｌ１の負荷認識番号＝「１」であることを意味する。
【００１６】
なお、送信器１、２から送信された制御信号には、例えば、送信された送信器１、２に各々固有の送信器認識番号（各々番号「１」、「２」）や、選択ボタンＢ１、Ｂ２でそれぞれ選択される選択番号を負荷Ｌ１、Ｌ２に各々固有の負荷認識番号（各々番号「１」、「２」）を含ませるようにしておく。
【００１７】
ここで、分電盤３は、送信器１、２から制御信号を受信する機能を有してなる受信器４と、受信器４で受信した制御信号の示す制御内容に応じて制御対象となる負荷Ｌ１、Ｌ２に各々接続された各ブレーカ７１、７２の開閉動作を受信器４からの情報をもとに制御する制御部５と、制御部５により制御され、負荷Ｌ１、Ｌ２の各々に電力を供給するブレーカ７１、７２に供給される電流を検出する各電流検出回路６１、６２を備えている。
【００１８】
なお、第１実施形態においては、負荷数は負荷Ｌ１、Ｌ２の２つであるため、ブレーカ数と、電流検出回路数とも負荷Ｌ１、Ｌ２に対応させて各々２つ設けているが、負荷数が３つ以上の場合にも、ブレーカ数と、電流検出回路数は、各々負荷数に対応して設けられていればよい。
【００１９】
ここで、受信器４は、送信器認識番号及び負荷認識番号を認証する機能を有しており、ある制御信号を受信した場合に、その中に含まれる送信器認識番号と負荷認識番号を判定することで、制御対象となる負荷の負荷認識番号と、制御信号を送信してきた送信器の送信器認識番号を特定することが可能である。
【００２０】
次に、無線負荷制御システムにおける制御対象の制御動作を、図２に基づいて説明する。なお、一例として、利用者が部屋Ｒ１に設けた送信器１を操作する場合について説明する。最初は、送信器１、２と受信器４とは、各々待機状態にある（ステップＳ１）ものとする。
【００２１】
まず、部屋Ｒ１にいる利用者が、部屋Ｒ２にある負荷Ｌ２を操作するために、送信器１の選択ボタンＢ２を選択した場合について説明する。この場合、送信器１からの制御信号に含まれる負荷認識番号＝「２」である。部屋Ｒ１にいる利用者は、送信器１に設けられた選択ボタンＢ２を操作し、制御信号を送信する（ステップＳ２）。
【００２２】
受信器４は、送信器１からの制御信号を受信し（ステップＳ３）、受信した制御信号に含まれる送信器認識番号（ここでは、「１」）から、送信器１からのものであると判断する。
【００２３】
また、受信器４は、制御信号に含まれる負荷認識番号（ここでは、「２」）から制御対象がＬ１ではなく（ステップＳ４）、負荷Ｌ２であると判定する（ステップＳ４）。
【００２４】
受信器４が、制御対象が負荷Ｌ２であると判断した場合（ステップＳ６）、制御部５は、負荷Ｌ２に接続されているブレーカ７２を制御信号の内容に従って制御して負荷Ｌ２に所望の動作、例えばオフ状態からオン状態へという動作や、オン状態からオフ状態へという動作を行わせる（ステップＳ７）。
【００２５】
次に、電流検知回路６２は、負荷Ｌ２を動作させたことによる電流変化、例えばオン状態からオフ状態であったのか、オフ状態からオン状態になったのか等を検出する（ステップＳ８）。そして、制御部５は、電流検知回路６２からの検出結果に従って、制御信号の送信元である送信器１と対をなす負荷Ｌ１に接続されているブレーカ７１に対して、例えば、負荷Ｌ１を点滅パターンに変える等の所定の点灯制御を所定時間だけ施す（ステップＳ９）ことで、送信器１の利用者に負荷Ｌ２に対して目的の動作がなされた事を提示する。その後、制御部５及び受信器４は、待機状態へと戻る（ステップＳ１）。
【００２６】
次に、部屋Ｒ１にいる利用者が、送信器１の選択ボタンＢ１を選択した場合について説明する。この場合、送信器１からの制御信号に含まれる負荷認識番号＝「１」である。
【００２７】
受信器４は、送信器１から受信した制御信号が負荷Ｌ１を制御対象とする信号であると判断（負荷認識番号＝「１」）（ステップＳ４）し、制御部５が、負荷Ｌ１に接続されているブレーカ７１を制御信号の内容に従って制御して負荷Ｌ１に所望の動作、例えばオフ状態からオン状態へという動作を行わせ（ステップＳ５）、その後は、制御部５及び受信器４は、待機状態へと戻る（ステップＳ１）。
【００２８】
かかる無線負荷制御システムにおいては、送信器１、２が送信した制御信号を受信する受信器４に、送信器認識番号及び負荷認識番号を認証する機能を持たせることで、送信器１、２が、双方向通信は可能ではなく制御信号を発信する機能だけを備えているにも関わらず、例えば、部屋Ｒ１にいる送信器１の利用者は、部屋Ｒ１にいながらにして部屋Ｒ１の負荷Ｌ１に対する所定の制御状態から、部屋Ｒ２の負荷Ｌ２に制御状態を把握可能である。
【００２９】
また、かかる無線負荷制御システムにおいては、システムに必要な送受信機能を備える箇所を従来例に比べて減らすことで、システムの小サイズ化、低コスト化を狙うことができる。また、かかる分電盤においては、上述のような無線負荷制御システムを容易に実現することができる。
【００３０】
次に、制御対象である負荷Ｌ１、Ｌ２に各々対応する送受信機能を有する送受信器１０、２０を備えてなる実施形態を、本発明の第２実施形態として図３及び図４に基づいて説明する。
【００３１】
図３は、本発明の第２実施形態に係る無線負荷制御システムを示す説明図であり、図４は、無線負荷制御システムにおける動作の一例を示すフローチャートであり、図４（ａ）は送受信器１０の動作の一例を、図４（ｂ）は、送受信器２０の動作の一例を説明するフローチャートである。なお、第１実施形態との同一箇所には同一符号を付して、共通部分の説明は省略する。
【００３２】
ここで、第２実施形態においては、第１実施形態と同様に、制御対象となる負荷としては、部屋Ｒ１、Ｒ２の各々に設けられた照明機器である負荷Ｌ１、Ｌ２を用いる。
【００３３】
無線負荷制御システムは、図３に示すように、部屋Ｒ１に設けられた送信器１と対をなす負荷Ｌ１と、部屋Ｒ２に設けられた送信器２と対をなす負荷Ｌ２と、負荷Ｌ１、Ｌ２を操作可能な送信器１と、負荷Ｌ１を制御する機能を備えてなる送受信器１０と、負荷Ｌ１、Ｌ２を操作可能な送信器２と、送信器２と対をなす負荷Ｌ２と、負荷Ｌ２を制御する機能を備えてなる送受信器２０とを有して構成されている。
【００３４】
送信器１、２は、第１実施形態と同様に、例えばワイヤレスリモコンであり、制御対象とする負荷Ｌ１、Ｌ２のいずれかを各々選択する選択ボタンＢ１、Ｂ２を備えており、発信する制御信号には、例えば、送信された送信器１、２の送信器認識番号や、制御対象である負荷Ｌ１、Ｌ２の負荷認識番号を含ませている。
【００３５】
なお、第２実施形態においては、負荷Ｌ１と、送受信器１０と、送信器１とは対をなし、負荷Ｌ２と、送受信器２０と、送信器２とは対をなしている。
【００３６】
ここで、送受信器１０、２０は、各送受信器固有の送受信器認識番号（各々番号「１」、「２」）を有しており、送受信器認識番号と、制御信号に含まれる送信器認識番号及び負荷認識番号を認証する機能を有している。
【００３７】
なお、送受信器１０は、送信器認識番号と負荷認識番号とが送受信器１０の送信器認識番号に等しい場合（送信器認識番号＝送信器認識番号＝負荷認識番号＝「１」）、つまり、利用者が送信器１の選択ボタンＢ１を選択して対をなす負荷Ｌ１を制御対象とするときは、制御信号に応じた制御を負荷Ｌ１に施す。同様に、送受信器２０は、利用者が送信器２の選択ボタンＢ２を選択して対をなす負荷Ｌ２を制御対象とするときは、制御信号に応じた制御を負荷Ｌ２に施す機能を有している。
【００３８】
また、送受信器１０は、送受信器１０の送受信器認識番号と制御信号に含まれる負荷認識番号が一致しない場合（送信器認識番号＝「１」、負荷認識番号＝「２」）には、待機状態となる機能を有している。同様に、送受信器２０は、制御信号に含まれる負荷認識番号が一致しない場合（送信器認識番号＝「２」、負荷認識番号＝「１」）には、待機状態となる機能を有している。
【００３９】
また、送受信器１０は、送受信器１０の送受信器認識番号と制御信号に含まれる送信器認識番号が一致せず、送受信器１０の送受信器認識番号と負荷認識番号とが一致する場合（送受信器認識番号＝「１」、送信器認識番号＝「２」、負荷認識番号＝「１」）には、負荷Ｌ１に対して制御信号に応じた制御を施すとともに、制御信号を発信してきた送信器２と対をなす送受信器２０に対して所定の提示制御信号を発信する機能を備え、この提示制御信号を受信した送受信器２０が、対となる負荷Ｌ２に対してこの提示制御信号に応じた制御を行わせる機能を備えている。
【００４０】
同様に、送受信器２０は、送受信器２０の送受信器認識番号と制御信号に含まれる送信器認識番号が一致せず、送受信器２０の送受信器認識番号と負荷認識番号とが一致する場合（送受信器認識番号＝「２」、送信器認識番号＝「１」、負荷認識番号＝「２」）には、負荷Ｌ２に対して制御信号に応じた制御を施すとともに、制御信号を発信してきた送信器１と対をなす送受信器１０に対して所定の提示制御信号を発信する機能を備え、この提示制御信号を受信した送受信器１０が、対となる負荷Ｌ１に対してこの提示制御信号に応じた制御を行わせる機能を備えている。
【００４１】
次に、無線負荷制御システムにおける制御対象の制御動作を、図４に基づいて説明する。なお、一例として、第１実施形態と同様に、利用者が部屋Ｒ１に設けた送信器１を操作する場合について説明する。最初は、送信器１、２と送受信器１０、２０は、各々待機状態にある（ステップＳ１０）ものとする。
【００４２】
次に、部屋Ｒ１にいる利用者は送信器１に設けられた選択ボタンＢ１又は選択ボタンＢ２を操作し、制御信号を送信する（ステップＳ１１）。この場合、送受信器認識番号＝「１」である。次に、送受信器１０、２０は、この制御信号を受信する（ステップＳ１２及びステップＳ１５）。
【００４３】
まず、部屋Ｒ１にいる利用者が、送信器１の選択ボタンＢ２を選択した場合について説明する。この場合、送信器１からの制御信号に含まれる負荷認識番号＝「２」である。送受信器１０、２０は、制御信号に含まれる負荷認識番号を判定する（ステップＳ１３及びステップＳ１６）。
【００４４】
送受信器１０は、負荷認識番号＝「２」であり負荷Ｌ１に対応するものでないので、待機状態に戻る（ステップＳ１４）。送受信器２０は、負荷認識番号＝「２」であるため、制御信号の内容に従って、負荷Ｌ２に所定の制御を行わせる（ステップＳ１７）。
【００４５】
そして、次に送受信器２０は、制御信号を発信した送信器１と対をなす送受信器１０に所定の提示制御信号を発信する（ステップＳ１８）。ここで、所定の提示制御信号とは、例えば、制御対象を点滅パターンに変えたりするための信号である。
【００４６】
そこで、提示制御信号を受信した送受信器１０は、提示制御信号の制御内容を負荷Ｌ１に所定時間だけ施す（ステップＳ１９）ことで、送信器１の利用者に負荷Ｌ２に対して目的の動作がなされた事を提示する。その後、送受信器１０は、待機状態へと戻る（ステップＳ１０）。
【００４７】
次に、部屋Ｒ１にいる利用者が、送信器１の選択ボタンＢ１を選択した場合について説明する。この場合、送信器１からの制御信号に含まれる負荷認識番号＝「１」である。
【００４８】
送受信器１０、２０は、制御信号に含まれる負荷認識番号を判定する（ステップＳ１３及びステップＳ１６）し、送受信器２０は、負荷認識番号＝「１」であるため、待機状態に戻る（ステップＳ１０）。また、送受信器１０は、負荷認識番号＝「１」であるため、制御信号の内容に従って、負荷Ｌ１に所定の制御を行わせ（ステップＳ１４）、その後、待機状態に戻る（ステップＳ１０）。
【００４９】
かかる無線負荷制御システムにおいては、送信器１、２が送信した制御信号を受信する送受信器１０、２０に、送受信器認識番号と送信器認識番号及び負荷認識番号を認証する機能を持たせることで、送信器１、２が、双方向通信は可能ではなく制御信号を発信する機能だけを備えているにも関わらず、例えば、部屋Ｒ１にいる送信器１の利用者は、部屋Ｒ１にいながらにして部屋Ｒ１の負荷Ｌ１に対する所定の制御状態から、部屋Ｒ２の負荷Ｌ２に制御状態を把握可能である。
【００５０】
また、かかる無線負荷制御システムにおいては、システムに必要な送受信機能を備える箇所を従来例に比べて減らすことで、システムの小サイズ化、低コスト化を狙うことができる。
【００５１】
ここで、第１実施形態及び第２実施形態においては、部屋数は部屋Ｒ１、Ｒ２の２つであったが、部屋数が増える場合には、各部屋に対応して対となる負荷、送信器（第２実施形態では、送受信器も）を設けるとともに、送信器に対して制御対象となる数だけの負荷を選択するための選択ボタンを設ければ、同様の効果を奏することができる。但し、ある送信器による複数の負荷の遠隔操作は、特定小電力無線の通信可能範囲内で行われる必要がある。
【００５２】
また、第１実施形態及び第２実施形態においては、部屋Ｒ１にいる利用者が送信器１を用いて、部屋Ｒ２にある負荷Ｌ２を遠隔操作する場合の例を示しているが、部屋Ｒ２にいる利用者が送信器２を用いて、部屋Ｒ１にある負荷Ｌ１を遠隔操作する場合にも同様に、部屋Ｒ２にいる利用者が、送信器２を用いる部屋Ｒ２にいながらにして、部屋Ｒ１にある負荷Ｌ１の制御状態を把握することができる。
【００５３】
また、第１実施形態及び第２実施形態においては、送信器１及び送信器２は、設けられた各部屋Ｒ１、Ｒ２内で操作されることとしているが、これは、例えば、一般的に各部屋に設けられる壁スイッチ等の既存の有線を用いた制御スイッチを、ワイヤレス化したワイヤレスリモコン等の送信器１、２に変更したような場合を想定しているためである。しかしながら、例えば、部屋Ｒ１に設けられた送信器１を部屋Ｒ２で使用したり、部屋Ｒ２に設けられた送信器２を部屋Ｒ１で使用しても勿論よい。
【００５４】
なお、第１実施形態及び第２実施形態においては、制御対象となる負荷は、照明機器であったが、電気錠や、エアコンや、換気扇等、遠隔操作の対象となるものであればこの他の機器でも勿論よい。
【００５５】
【発明の効果】
上記のように本願の請求項１に係る発明の無線負荷制御システムにあっては、ある送信器が送信した制御信号を受信する受信器に、送信器に固有の認識番号である送信器認識番号及び制御対象となる負荷に固有の認識番号である負荷認識番号を認証する機能を持たせることで、送信器が、双方向通信は可能ではなくても、例えば、ある部屋の送信器を利用した利用者が、異なる部屋に設けた負荷を制御する制御信号を送信した場合に、利用者は送信器を使用する部屋にいながらにして送信器に対となる負荷の状態を把握することで、異なる部屋に設けた負荷の制御状態を理解することができるので、システムに必要な送受信機能を備える箇所を減らして、システムの小サイズ化、低コスト化を狙うことができるという効果を奏する。
【００５６】
また、請求項２に係る発明の分電盤にあっては、請求項１に記載の受信器及び該受信器からの制御内容に応じて複数の負荷を制御する制御部を備えるとともに、制御部により制御され、複数の負荷の各々に電力を供給する複数のブレーカと、複数のブレーカに供給される電流を検出する電流検出回路とを備えてなることで、請求項１に係る発明の無線負荷制御システムを容易に実現することができるという効果を奏する。
【００５７】
また、請求項３に係る発明の無線負荷制御システムにあっては、送信器が送信した制御信号を受信する送受信器に、送受信器に固有の送受信器認識番号と送信器認識番号及び負荷認識番号とを認証する機能を持たせることで、送信器が、双方向通信は可能ではなくても、例えば、ある部屋の送信器を利用した利用者が、異なる部屋に設けた負荷を制御する制御信号を送信した場合に、利用者は送信器を使用する部屋にいながらにして送信器に対となる負荷の状態を把握することで、異なる部屋に設けた負荷の制御状態を理解することができるので、システムに必要な送受信機能を備える箇所を減らして、システムの小サイズ化、低コスト化を狙うことができるという効果を奏する。
【図面の簡単な説明】
【図１】本発明の第１実施形態に係る無線負荷制御システムを示す説明図である。
【図２】本発明の第１実施形態に係る無線負荷制御システムにおける動作を示すフローチャートである。
【図３】本発明の第２実施形態に係る無線負荷制御システムを示す説明図である。
【図４】本発明の第２実施形態に係る無線負荷制御システムにおける動作を示すフローチャートである。
【符号の説明】
１、２  送信器
３  分電盤
４  受信器
５  制御部
６１、６２  電流検出回路
７１、７２  ブレーカ
１０、２０  送受信器
Ｌ１、Ｌ２  負荷
Ｒ１、Ｒ２  部屋
【図１】
0004061930.tif 000002
【図２】
0004061930.tif 000003
【図３】
0004061930.tif 000004
【図４】
0004061930.tif 000005